(57)【要約】【課題】バンパの再資源化コストの低減しつつバンパの効率的な保管運搬を実現するバンパ減容機を提供することである。【解決手段】上記した目的を解決するために、本発明における課題解決手段は、平行配置されるとともに互いに反対方向へ回転駆動される一対のローラ３，４を備え、投入側からローラ３，４間に挿入されるバンパＢを各ローラ３，４の回転によって引き込んで平板状に扁平させて排出側から排出するバンパ減容機１であって、一方のローラ３は、回転軸３ａと、外周に複数の刃６を備えて回転軸３ａの外周に軸方向に並べて装着される複数の刃輪５とを備え、他方のローラ４は刃輪５の外周に対向する部位が円柱状とされ、一方のローラ３における任意の刃輪５間に隙間を設け、当該隙間の間であって排出側に一方のローラ３へのバンパＢの巻きつきを防止するスクレーパ１４を設けたことを特徴とする。【選択図】図１
2010184414.tif 000002
【特許請求の範囲】
【請求項１】
平行配置されるとともに互いに反対方向へ回転駆動される一対のローラを備え、投入側からローラ間に挿入されるバンパを各ローラの回転によって引き込んで平板状に扁平させて排出側から排出するバンパ減容機であって、一方のローラは、回転軸と、外周に複数の刃を備えて回転軸の外周に軸方向に並べて装着される複数の刃輪とを備え、他方のローラは刃輪の外周に対向する円柱部を備え、一方のローラにおける任意の刃輪間に隙間を設け、当該隙間の間であって排出側に一方のローラへのバンパの巻きつきを防止するスクレーパを設けたことを特徴とするバンパ減容機。
【請求項２】
スクレーパは、刃輪間から排出側へ向けて突出する平板であることを特徴とする請求項１に記載のバンパ減容機。
【請求項３】
一方のローラの周速度と他方のローラの周速度とを一致させるとともに、他方のローラが、軸方向に沿い、かつ、一方のローラの刃の周方向間隔より狭いピッチで設置される溝を外周に備えていることを特徴とする請求項１または２に記載のバンパ減容機。
【発明の詳細な説明】
【技術分野】
【０００１】
この発明は、バンパ減容機に関する。
【背景技術】
【０００２】
近年、地球環境保護や資源の枯渇の観点から、資源再利用の機運が高まっており、自動車の車体前後に装着される樹脂製のバンパも再資源化可能な樹脂であることから、廃車からバンパを回収してこれを樹脂製品の材料として再利用することが望まれている。
【０００３】
バンパを廃車から回収して再資源化する場合、一般には、自動車を解体処理場にて解体してバンパを取外し、取外し済みのバンパをリサイクル施設へ運搬し、リサイクル施設にてバンパを再資源化することになる。
【０００４】
このように、バンパを再資源化するには、取外し作業を行う施設と、再資源化する施設を経なくてはならないため、バンパを解体処理場からリサイクル施設へ運搬する必要が生じるとともに、ある程度の量のバンパを解体処理場にて保管しておく必要がある。
【０００５】
しかしながら、バンパは複雑な形状であるがゆえに積み重ねるなどしても嵩張ってしまうため、解体処理場にて保管場所を確保することが難しく、運搬効率も悪く運送コストが大きくなってしまう問題がある。
【０００６】
この問題を解決するために、バンパを細かく裁断してチップ状の樹脂とし保管および運搬の際の体積を減じる、すなわち、減容するバンパ減容機が提案されるに到っている。
【０００７】
このバンパ減容機にあっては、複数のカッターを備えた一対の回転軸を備え、各回転軸を回転させてカッターでバンパを噛み込むとともに、カッターでバンパを裁断するようにしている。
【０００８】
詳しくは、このバンパ減容機は、外周に八つの刃を備えた複数のカッターが軸方向に間隔を空けて設けた一対の回転軸を備え、互いの回転軸のカッターが互い違いとなるように、すなわち、各回転軸が互いのカッター間に対を成す相手の回転軸のカッターが入り込むように平行配置されており、バンパを細かく裁断するために、一方の回転軸上のカッターとこれに隣り合う他方の回転軸上のカッターとの間に殆ど隙間を設けず、また、各回転軸の各カッター外周と当該各カッターに対抗する相手方の回転軸のカッター間の外周との間にも隙間を殆ど設けないようにしている（たとえば、特許文献１参照）。
【０００９】
そして、このバンパ減容機では、複雑な形状のバンパを細かく裁断して、運搬保管に便利なチップ状の樹脂を得るようにしている。
【先行技術文献】
【特許文献】
【００１０】
【特許文献１】特開２００３−１３５９８９号公報
【発明の概要】
【発明が解決しようとする課題】
【００１１】
上記した従来のバンパ減容機では、バンパを細かいチップ状の樹脂とするのでバンパの体積を大幅に減容することができる点で優れているのであるが、バンパの材質は画一的ではなく、ＰＰ（ポリプロピレン）の他、ＡＢＳ樹脂、ＰＵ（ポリウレタン）といった種々の樹脂によって形成されており、必ず材質を示す刻印がなされているが裁断後はバラバラとなって刻印のある部分が他の部位と切り離されてしまい、材質が不明となってしまうため、材質毎に仕分けして裁断処理しなければならず、仕分けを徹底しないとバンパ減容後に異なる種類の樹脂がチップ化されて混合されてしまうことになる。
【００１２】
この再資源化の段階で再生材料に異なる材質の再生材料が混合されてしまった場合、再生された再生材料を用いた樹脂製品の機械的物性が著しい低下するといった不具合を生じる場合がある。
【００１３】
したがって、再生材料の分別は厳密に行われなくてはならず、上記の如くバンパがチップ化されると、解体処理場にて再生材料を材質毎に分類する作業が必要となるばかりか、材質毎に分別して管理し、保管し、運搬することになるため、解体処理業場における作業が煩雑となり、バンパ以外の再生材料も持ち込まれるであろうリサイクル施設においても同様に分別管理することになるため、バンパの回収から再資源化までにかかるコストが多くなってしまう。
【００１４】
そこで、本発明は、上記した不具合を改善するために創案されたものであって、その目的とするところは、バンパの再資源化コストを低減しつつバンパの効率的な保管運搬を実現するバンパ減容機を提供することである。
【課題を解決するための手段】
【００１５】
上記した目的を解決するために、本発明における課題解決手段は、平行配置されるとともに互いに反対方向へ回転駆動される一対のローラを備え、投入側からローラ間に挿入されるバンパを各ローラの回転によって引き込んで平板状に扁平させて排出側から排出するバンパ減容機であって、一方のローラは、回転軸と、外周に複数の刃を備えて回転軸の外周に軸方向に並べて装着される複数の刃輪とを備え、他方のローラは刃輪の外周に対向する円柱部を備え、一方のローラにおける任意の刃輪間に隙間を設け、当該隙間の間であって排出側に一方のローラへのバンパの巻きつきを防止するスクレーパを設けたことを特徴とする。
【発明の効果】
【００１６】
本発明のバンパ減容機によれば、ローラの刃とローラの外周とでバンパを挟み込むことで、バンパに局所的に大きな圧力を作用させてバンパの内側に設けられたリブや突起を押しつぶすとともに、また、バンパの刃で挟み込んだ部位に適度な刃型をつけて、バンパが弾性によってもとの形状へ復元することなく扁平させることができる。
【００１７】
そして、バンパ減容機は、バンパをバラバラに裁断することなく一纏りの状態で扁平させることができ、扁平されたバンパは幾重にも積層することができるため、運搬に際して嵩張らず運搬効率を良好なものとすることができ、バンパの刻印を確認できる状態で扁平されることから解体処理施設およびリサイクル施設にて材質を確認することができ、保管するにしても嵩張らないので再資源化に関するコストを低減することができる。
【００１８】
また、このバンパ減容機にあっては、スクレーパを備えており、このスクレーパにてバンパのローラへの巻き込みを阻止して、確実にバンパを扁平した状態で排出することができるので、作業者の負担が軽減され、かつ、効率よくバンパを扁平させることができる。
【図面の簡単な説明】
【００１９】
【図１】本発明の一実施の形態におけるバンパ減容機の断面図である。
【図２】本発明の一実施の形態におけるバンパ減容機の側方断面図である。
【図３】本発明の一実施の形態におけるバンパ減容機の背面図である。
【図４】本発明の一実施の形態の一変形例におけるバンパ減容機のローラの正面図である。
【図５】一実施の形態のバンパ減容機でバンパを扁平させた際のバンパに付く刃型とローラの回転方向の直交する刃を備えたローラでバンパを扁平させた際に付く刃型とを比較した図である。
【図６】本発明の一実施の形態の他の変形例におけるバンパ減容機のローラの正面図である。
【発明を実施するための形態】
【００２０】
以下、図に示した本発明の実施の形態を説明する。本発明の一実施の形態におけるバンパ減容機１は、図１および図２に示すように、ハウジング２と、ハウジング２に平行に配置されて回転自在に軸支されるとともにハウジング２内に収容される一対のローラ３，４と、一方のローラ３へのバンパＢの巻きつきを防止するスクレーパ１４とを備えて構成されており、図２中上方配置されるローラ３は反時計回りに、図２中下方配置されるローラ４は時計周りに回転駆動され、図２中左方となる投入側からローラ３，４間に挿入されるバンパＢを各ローラ３，４の回転によって引き込んで平板状に扁平させて図２中右方となる排出側から排出するようになっている。
【００２１】
そして、一方のローラ３は、外周に複数の刃６を備えており、この実施の形態の場合、刃６は回転方向に対して傾斜し、ローラ３の軸方向に沿って並べられている。より詳細には、ローラ３は、回転軸３ａと、環状であって外周に所定ピッチで配置される刃６を備えて回転軸３ａの外周に装着される複数の刃輪５を備えており、刃輪５の内周に設けたキー溝５ａ内に回転軸３ａに設けたキー３ｂを挿入することによって、回転軸３ａに対して刃輪５が回り止めされている。
【００２２】
なお、この場合、１６枚の刃輪５が回転軸３ａに列を成して装着されており、これらの刃輪５は、後述するハウジング２の軸受部１０ａ，１０ｂに挟持されて軸方向への移動が規制されて回転軸３ａに一体とされている。また、一方のローラ３を軸方向の中央で二つに区分し、各区分Ｙ，Ｚ内に設置される刃輪５の刃６の回転方向に対する傾斜の向きが同じ向きとなるように設定され、かつ、区分Ｙ，Ｚ同士では刃の傾斜の向きが反対となるようになっている。
【００２３】
このように、刃６が回転軸３ａに刃輪５を装着することでローラ３に設けられるようにしているので、刃６の一部が劣化したり破損したりする場合に、ローラ３の全体を交換するのではなく、交換が必要な刃輪５のみを交換すれば足りるので、ローラ３に刃６を直接に設ける場合に比較して経済的となる。なお、刃輪５の設置数は、刃輪５の軸方向幅の設定によって任意に設定することができ、１６列に限定されるものではない。
【００２４】
他方のローラ４は、この場合、ローラ３の刃６に対向する部位は円柱状とされており、最外周が最もローラ３の刃６の外縁に近付く際に、刃６との間に僅かな隙間、実際には、０．０ｍｍを超え０．５ｍｍ以下となる隙間を介して対向するようになっている。このように設定されることで、ローラ３の刃６とローラ４の外周とでバンパＢを挟み込んだ際に、バンパＢをバラバラに破断することなく上記の挟み込みによってバンパＢに刃型をつけることができる。
【００２５】
このように、一方のローラ３は刃６を備え、他方のローラ４は刃を備えない円柱形とされているので、ローラ３の刃６とローラ４の外周とでバンパＢを挟み込んでバンパＢを扁平させることになるため、刃輪５における刃６の間隔であるピッチは狭いほど、バンパＢを挟み込む箇所を密にして扁平効果を高めることができる。なお、一つの刃輪５の外周に設けられる刃６の数が多いほどバンパＢの扁平には有利ということになるが、刃６の数を多くしすぎるとコスト上昇を招くので、コストとの兼ね合いによってピッチを決定するとよい。また、刃輪５における刃６の数は、必ずしもそれぞれで同じとなるように統一しなくともよい。
【００２６】
そして、上記の一方のローラ３と他方のローラ４は、ともに、モータＭによって駆動されるようになっており、具体的には、一方のローラ３と他方のローラ４とはこれらの端部に設けた歯車７，８によって構成される歯車機構Ｈによって一方の回転が他方に伝達されるようになっており、モータＭは、直接的には一方のローラ３の一端に回転の伝達が可能なように連結されており、モータＭを駆動すると、一方のローラ３と他方のローラ４の双方を回転駆動できるようになっている。なお、モータＭは、他方のローラ４を回転駆動するようにしてもよいし、また、減速機を介して上記ローラ３，４の一つに連結されるようにしてもよい。
【００２７】
そして、この場合、モータＭを駆動すると、一方のローラ３の最外周である刃５の先端の周速度（回転速度）と、他方のローラ４の最外周の周速度（回転速度）とが等しくなるようになっており、一方のローラ３の最外周の直径と他方のローラ４の最外周の直径の比によって、上記の歯車機構Ｈのギア比を設定するようにすればよい。なお、モータＭは、電動機でもよいし油圧モータとされてもよい。
【００２８】
また、ハウジング２は、この実施の形態の場合、箱型とされるとともに、上下に分割されて、一方のローラ３を回転自在に保持する上方のブロック１０と、他方のローラ４を回転自在に保持するとともにモータＭを保持する下方のブロック１１と、を備えて構成されている。
【００２９】
このブロック１０は、一方のローラ３の一端を回転自在に軸支する軸受部１０ａとローラ３の他端を回転自在に軸支する軸受部１０ｂと、これら軸受部１０ａ，１０ｂを連結する天板１０ｃとを備えて構成され、他方のブロック１１は、他方のローラ４の一端を回転自在に軸支する軸受部１１ａとローラ４の他端を回転自在に軸支する軸受部１１ｂと、これら軸受部１１ａ，１１ｂを連結する底板１１ｃとを備えて構成される。
【００３０】
これらブロック１０，１１は、軸受部１０ａ，１１ａの背面側となる図２中右端と軸受部１０ｂ，１１ｂの背面側となる図２中右端でヒンジ結合されて、ブロック１０はブロック１１に対して二箇所のヒンジ部１２を中心に揺動可能とされており、軸受部１０ａ，１１ａ間と軸受部１０ｂ，１１ｂ間にスペーサ１３を挿入することでローラ３，４の軸間距離を調節することができるようになっている。なお、軸受部１０ａ，１１ａ，１０ｂ，１１ｂの正面側には図１および図２中に示すように、フランジ１０ｄ，１１ｄが設けられており、このフランジ１０ｄ，１１ｄ同士をボルトおよびナットで挟み込むことで、ブロック１０，１１の姿勢が固定的に維持されるようになっている。
【００３１】
なお、このようにローラ３，４間の軸間距離を調節できるようになっているため、歯車機構Ｈにおける歯車７，８はインボリュート歯車であることが好ましい。
【００３２】
このように構成されたバンパ減容機１にあっては、モータＭを正転させると、一方のローラ３が図２中時計周りに設定され、他方のローラ４が図２中反時計回りに設定されることで、バンパＢを長手方向に沿って図２中左方からローラ３，４間に挿入するとローラ３，４の回転によってバンパＢをローラ３，４間に引き込みつつ、ローラ３，４でバンパＢを扁平させ、最終的には図２中右方から扁平されたバンパＢを排出することができるようになっている。なお、モータＭを逆転すると、ローラ３，４で噛み込んだバンパＢを上記とは逆に左方から右方へ排出させることができるようになっている。
【００３３】
ここで、バンパＢは、車体の前部あるいは後部を衝撃から守るために概ね両端が車体側へ向けて突出するコ字状であって、また、断面もコ字状とされており、車体への取り付けやバンパＢ自体への照明機器の取り付けのため、あるいは、空気取り入れのためなどで、内側にリブや複雑な形状の突起等が設けてあるとともに、弾性を備えた樹脂材料で形成されているため、単なる円柱状の一対のローラで圧延する方法を採用しても、弾性によってもとの形状が戻ってしまい、十分に扁平させることは難しい。これに対して、本実施の形態のバンパ減容機１では、一方のローラ３に刃６を設け、この刃６とローラ４の外周とでバンパＢを挟み込むことで、バンパＢに局所的に大きな圧力を作用させてバンパＢの内側に設けられたリブや突起を押しつぶすとともに、また、バンパＢの刃６で挟み込んだ部位に適度な刃型をつけて、バンパＢが弾性によってもとの形状へ復元することなく扁平させることができる。
【００３４】
バンパ減容機１は、上述の如く、バンパＢをバラバラに裁断することなく一纏りの状態で扁平させることができ、扁平されたバンパＢは幾重にも積層することができるため、運搬に際して嵩張らず運搬効率を良好なものとすることができ、バンパＢの刻印を確認できる状態で扁平されることから解体処理施設およびリサイクル施設にて材質を確認することができ、保管するにしても嵩張らないので再資源化に関するコストを低減することができる。
【００３５】
なお、バンパＢの内側をローラ４へ向けても、バンパＢを扁平させることも可能であるが、バンパＢをローラ３，４間に挿入するに当たり、刃６を備えたローラ３側へバンパＢの内側を向けるとよく、そうすることで、刃６をバンパＢの内側に設けたリブ等に直接当てて押し潰すことができ、バンパＢをより一層扁平しやすくなる。
【００３６】
しかるに、この場合、図１中上方のローラ３に刃６を設けてあるので、バンパＢを縦にして下端側からローラ３，４間に挿入するとよく、バンパＢを縦にして上端側からローラ３，４間に挿入する場合には、ローラ３をローラ４より下方へ配置しておくとよい。また、このバンパ減容機１は、ローラ３，４は、地面に対して平行させて使用するだけで無く、傾けて使用することも可能で、ローラ３，４の回転軸を鉛直方向へ向けて、すなわち、図１を左右いずれかに９０度回転させた状態でも使用することができる。
【００３７】
ところで、この実施の形態の場合、刃輪５の外周に設けた刃６は回転方向に対して傾斜しており、ローラ３の軸方向に沿って並べられて、刃輪５の刃６の両端が隣の刃輪５の刃６に連続しておらず、上述のようにバンパＢを押しつぶした際に、刃６の端部がバンパＢを噛み込んでしまい、バンパＢが刃６から離れなくなってしまって、このままでは、バンパＢをローラ３で巻き込んでしまう虞がある。すると、ローラ３でバンパＢを巻き込んでしまうと、作業を中断してローラ３，４を逆回転させてバンパＢを取り除かなくてはならず、作業者の負担となり、効率よくバンパＢを扁平させることができなくなる。
【００３８】
そこで、このバンパ減容機１にあっては、一方のローラ３における１６列の刃輪５のうち、図３中左方から数えて、３番目と４番目との間、６番目と７番目の間、１０番目と１１番目の間、１３番目と１４番目との間のそれぞれに隙間が設けて、当該隙間に平板状のスクレーパ１４が挿入している。
【００３９】
これら四つのスクレーパ１４は、図２に示すように、回転軸３ａおよび他方のローラ４に干渉しないようにして刃輪５間の隙間に挿入されるとともに、刃輪５の外周よりバンパＢの排出側へ突出させてあり、図２および図３に示すように、刃輪５より突出された部位のそれぞれの上端が保持板１５に溶接等によって固定され、この保持板１５は、ハウジング２のブロック１０の天板１０ｃにステー１６を介して取り付けられている。
【００４０】
これらスクレーパ１４は、一方のローラ３が回転しても、その回転を妨げず、一方のローラ３の回転軸３ａに対して配置位置は変化せず、また、一方のローラ３と他方のローラ４とでバンパＢを挟み込むことを邪魔しないように、刃輪５の図２中最上端から下方へ後退している。それゆえ、バンパＢがローラ３，４で押圧した後に、刃６がバンパＢを噛みこんでバンパＢが刃６から離れない状態となってローラ３がバンパＢを巻き込もうとしても、ローラ３の回転によってバンパＢがスクレーパ１４に当接し、そのままローラ３の回転を継続するとスクレーパ１４によってローラ３からバンパＢが引き剥がされて、バンパＢのローラ３への巻きつきが防止され、扁平後のバンパＢを確実に外部へ排出することができる。
【００４１】
扁平後のバンパＢの幅内に少なくとも一つ以上のスクレーパ１４が配置されるようにしておけばよく、一つのみを設置するとしてもよいが、複数設置してローラ３の軸方向に満遍なく配置することによって、バンパＢのローラ３からの引き剥がしの確実度が向上することになる。
【００４２】
このように本実施の形態のバンパ減容機１にあっては、ローラ３への巻き込みを阻止して、確実にバンパＢを扁平した状態で排出することができるので、作業者の負担が軽減され、かつ、効率よくバンパＢを扁平させることができる。
【００４３】
なお、このバンパ減容機１にあっては、刃６がローラ３の軸方向に沿って並べて配置されているが、刃６のピッチが広い場合には、図４に示すように、ローラ３の軸方向において隣り合う刃輪５の刃６を、相手方の刃輪５の刃６，６間に配置するようにしておけば、少なくとも、バンパＢの短手方向に対して同時に半数、刃輪５の枚数が奇数の場合には半数±１の刃輪５の刃６を押し当てることが可能であり、さらに、刃輪５の半数程度の刃６に引き続いて残りの半数程度の刃輪５の刃６がピッチより狭い間隔を持ってバンパＢを押しつぶすことになるので、バンパＢの長手方向に対する押圧箇所をピッチより狭くして密にバンパＢを押圧することができる。
【００４４】
なお、刃６をローラ３の回転方向に対して直交させるようにしてもよいが、刃６を回転方向に対して傾斜させることで、直交させる場合に比較して、バンパＢの短手方向から見たときに、全く押圧されない箇所の出現を減らすことができ、バンパＢを上記した実施の形態に比較してより確実に扁平させることができる。たとえば、図５に示すように、刃６の周方向間隔と回転方向に直交する刃の周方向間隔とを一致させた場合にバンパＢに付く押圧箇所である刃型を見ると、バンパＢの短手方向において回転方向に傾斜している刃６のほうが、全く押圧されていない箇所の長手方向の総延長を少なくすることができる。
【００４５】
ここで、刃６の回転方向と交差する鋭角側の傾斜角度が９０度に近付く程、回転方向に直交する一実施の形態に近くなるゆえ、バンパＢの扁平効果が一実施の形態に近くなり、また、上記鋭角側の傾斜角度が０度に近付く程、断面コ字状のバンパＢを短手方向に押し広げにくくなり、バンパＢの扁平効果が減少するので、上記傾斜角度は、２０度から６０度程度の範囲に設定されるとバンパＢを効果的に扁平させることができることが経験的に解かっている。
【００４６】
また、本実施の形態においては、一方のローラ３を軸方向の中央で二つに区分し、各区分Ｙ，Ｚ内に設置される刃輪１６の刃１７のローラの回転方向に対する傾斜の向きが同じ向きとなるように設定され、かつ、区分Ｙ，Ｚ同士では刃の傾斜の向きが反対となるようにしているため、ローラ３がバンパＢをローラ４と協働して挟み込んだ際に、バンパＢが刃６の傾斜によって逃げようとするので短手方向に区分Ｙ，Ｚで反対向きの力を作用させることができ、それゆえ、バンパＢは安定して直進して排出されることになって、バンパＢを短手方向にしっかり押圧できることになる。
【００４７】
また、ローラ４の周速度についてであるが、ローラ４の外周の周速度がローラ３の刃６の先端の周速度に一致していない場合、ローラ４とローラ３の周速度差によってバンパＢが引きずられて安定した直進性を得られない場合があるので、ローラ３，４の外縁の周速度を一致させておくことが好ましい。
【００４８】
さらに、バンパＢをより安定して直進させるには、図６に示すように、他方のローラ４の外周に外周に軸方向に沿ってローラ３の刃６の周方向の間隔より狭いピッチで配置される溝４ａを設けるようにするとよい。
【００４９】
この場合には、ローラ３がバンパＢをローラ４と協働して挟み込んだ際に、バンパＢが刃６の傾斜によって逃げようとしても、軸方向に沿う溝４ａの縁がバンパＢを噛んでバンパＢがローラ３，４に対して傾斜しようとするのを抑えるように働くので、バンパＢは直進することになる。また、溝４ａのピッチがローラ３の刃６間の周方向の間隔より狭く設定されているので、ローラ３の刃６でバンパＢを挟み込む機会より、溝４ａの縁がバンパＢを噛む機会を多くすることができ、バンパＢは安定して直進することになる。
【００５０】
なお、上記の溝４ａは、ローラ３の刃６が回転方向に直交する場合にも、有効に機能し、バンパＢの直進性を向上させることができる。
【００５１】
以上で、本発明の実施の形態についての説明を終えるが、本発明の範囲は図示されまたは説明された詳細そのものには限定されないことは勿論である。
【産業上の利用可能性】
【００５２】
本発明は、バンパを扁平させて再資源化コストを低減するバンパ減容機に利用することができる。
【符号の説明】
【００５３】
１  バンパ減容機
２  ハウジング
３  一方のローラ
３ａ  回転軸
３ｂ  キー
４  他方のローラ
４ａ  溝
５  刃輪
６  刃
７，８  歯車
１０，１１  ブロック
１０ａ，１０ｂ，１１ａ，１１ｂ  軸受部
１０ｃ  天板
１０ｄ，１１ｄ  フランジ
１１ｃ  底板
１２  ヒンジ部
１３  スペーサ
１４  スクレーパ
１５  保持板
１６  ステー
Ｂ  バンパ
Ｈ  歯車機構
Ｍ  モータ
Ｙ，Ｚ  ローラの区分
【図１】
2010184414.tif 000003
【図２】
2010184414.tif 000004
【図３】
2010184414.tif 000005
【図４】
2010184414.tif 000006
【図５】
2010184414.tif 000007
【図６】
2010184414.tif 000008